(57)【要約】      （修正有）【課題】手指の力が弱い高齢者、動きが不自由な機能障害者あるいは未熟に幼児などにとって無理のない手指の動きで使用することができ、また適宜に彩色表示を施すことによって、視覚を通して脳を刺激し、その活性化を図ることができる手指のリハビリ訓練用具、運動用具または知育用具を提供する。【解決手段】手の平内に把持する握り部本体１を設けて、その上方位置に、握り部本体１と交差する軸心で回転する操作つまみ５を設け、この操作つまみ５を手指によって回転運動する。操作つまみ５に、これと同芯の巻上軸７を設け、この巻上軸７に紐条９を巻き掛ける。握り部本体１の周面に、この周面から放射状に突出する複数の突起２を設ける。握り部本体１、突起２、操作つまみ５、巻上軸７および紐条９の各部材に彩色表示を施す。【選択図】図２
0003198119.tif 000002
【実用新案登録請求の範囲】
【請求項１】
手の平内に把持する握り部本体を設けて、その上方位置に、握り部本体と交差する軸心で回転する操作つまみを設け、この操作つまみを手指によって回転運動するようにしたことを特徴とする手指のリハビリ訓練用具、運動用具または知育用具。
【請求項２】
操作つまみに、これと同芯の巻上軸を設け、この巻上軸に紐条を巻き掛けたことを特徴とする請求項１に記載する手指のリハビリ訓練用具、運動用具または知育用具。
【請求項３】
握り部本体の周面に、この周面から放射状に突出する複数の突起を設けたことを特徴とする請求項１に記載する手指のリハビリ訓練用具、運動用具または知育用具。
【請求項４】
握り部本体、突起、操作つまみ、巻上軸および紐条の各部材に彩色表示を施したことを特徴とする請求項３に記載する手指のリハビリ訓練用具、運動用具または知育用具。
【考案の詳細な説明】
【技術分野】
【０００１】  本考案は、手指の力が弱い高齢者、手指の機能に不具合をもつ障害者あるいは手指の発達が未熟な幼児などに供される片手式の手指のリハビリ訓練用具、運動用具または知育用具に関するものである。
【背景技術】
【０００２】  従来、片手だけで手指のリハビリ運動などを行なう器具が種々考案され、実用化にいたっている。その一つとして、握り部本体の上端部に磁石で吸着する球体を設け、握り部材を握ったままの状態で、同じ方の手指で球体を回転操作する手指運動器具が提案されている。（特許文献１参照）【０００３】  また、握り部材の上方に球体を備えた棒状スプリングを突設し、握り部材を握ったままの状態で球体を押圧し、これを傾動操作することによって運動する片手式の健康器具が提案されている。（特許文献２参照）
【先行技術文献】
【特許文献】
【０００４】
【特許文献１】  特開２００３−９３５４２号
【特許文献２】  実用新案登録３１４３０３３号
【考案の概要】
【考案が解決しようとする課題】
【０００５】  従来例に挙げた特許文献１および特許文献２の運動器具は何れも、握った方の手の上方位置で親指と人差指の手指動作を行うようになっている。このような運動器具にあっては、手の力が強く手指が自在に動く健常者にとって何ら問題になることはない。【０００６】  しかしながら、手指の力が弱い高齢者、機能障害者あるいは未熟に幼児などにとっては、しっかりと握り部材を把持しなければならず、この結果、ことに親指と人差指が球体と異なる方向を向くことになり、無理な握り姿勢で辛い操作を余儀なくされる。よって運動器具の使用効果を十分に得るまでには至っていない。【０００７】  また特許文献に記載される発明は、何れも健常者が使用する健康運動用具を提供するものであって、視覚を通して脳を活性化し、楽しく使用するような配慮はされていない。このため、高齢者、機能障害者あるいは未熟に幼児などにとっては興味が希薄となり、傍らに置いてあっても見放されてしまうような点も指摘された。【０００８】  本考案は、上記した点に鑑みてなされたもので、手指の力が弱い高齢者、動きが不自由な機能障害者あるいは未熟に幼児などにとって無理のない手指の動きで使用することができ、また適宜に彩色表示を施すことによって、視覚を通して脳を刺激し、その活性化を図り明るい気持ちで積極的に楽しく使用することができる手指のリハビリ訓練用具、運動用具または知育用具を提供しようとするものである。
【課題を解決するための手段】
【０００９】  上記の課題を解決するために、本考案に係る手指のリハビリ訓練用具、運動用具または知育用具は、手の平内に把持する握り部本体を設けて、その上方位置に、握り部本体と交差する軸心で回転する操作つまみを設け、この操作つまみを手指によって回転運動するようにしたことを考案の要旨とするものである。【００１０】  また本考案に係る手指のリハビリ訓練用具、健康運動用具または知育用具は、請求項２において、操作つまみに、これと同芯の巻上軸を設け、この巻上軸に紐条を巻き掛けたことを特徴としている。【００１１】  また本考案に係る手指のリハビリ訓練用具、健康運動用具または知育用具は、請求項３において、握り部本体の周面に、この周面から放射状に突出する多数の突起を設けたことを特徴としている。【００１２】  また本考案に係る手指のリハビリ訓練用具、健康運動用具または知育用具は、請求項４において、握り部本体、突起、操作つまみ、巻上軸および紐条の各部材に彩色表示を施したことを特徴としている。
【考案の効果】
【００１３】  このように構成した課題解決手段によれば、握り部本体を手の平に収めたとき、手指特に親指と人差指が自然に操作つまみの方向に向くため、その回転操作を自由かつ軽快に行うことができる。よって力の弱い高齢者、機能障害者あるいは未熟な幼児などにとって無理なくリハビリ、知育などの訓練を好適に行うことができるという優れた効果が得られる。【００１４】  また請求項２のように構成したときには、巻き上げた紐条の長さを知ることにより運動量が分り、達成感に寄与することができることは勿論、楽しく操作できるため飽きることなく長く使用することができる。【００１５】  また請求項３のように構成したときには、器具をしっかりと把持して脱落の心配もなく操作を行うことができる。また突起によって手の平のツボを刺激し気持よく操作を行うことができる。【００１６】  また請求項４のように構成したときには、彩色の豊かな器具を得ることができる。そして、これによって視覚を通して脳へ強い刺激を与えることができるので、高齢者、機能障害者あるいは幼児などにとって気持ちが明るくなり、リハビリ訓練を積極的に行うことができ、さらに興味が褪せることがなく使用できる効果を発揮する。
【図面の簡単な説明】
【００１７】
【図１】  本考案に係る手指のリハビリ訓練用具、健康運動用具または知育用具の一実施例を示す縦断面図である。
【図２】  同じく、使用状態を示す説明図である。
【考案を実施するための形態】
【００１８】  以下、本考案に係る手指のリハビリ訓練用具、健康運動用具または知育用具を一実施例について説明する。図１において、１は丸棒状の握り部本体  ２は握り部本体１の周面部に放射状に突出した突起  上記の突起２を含んだ握り部材１の太さは、手の平に好適に収まる程度とし、木材で製作する。材料は、これ以外の合成樹脂材であってもよい。
【００１９】  ３は握り本体１の上部にして、その軸心（垂直方向）と交差する方向（水平方向）に穿設した丸穴  ４は丸穴３に挿通した回転軸  ５は回転軸４の一端に固定して設けた円筒状の操作つまみ  この操作つまみ５は直径２ｃｍほどである。６は回転軸４の多端に固定した抜止め部材である。
【００２０】  ７は操作つまみ５から前方に突出して設けた巻上軸  この巻上軸７は、操作つまみ５の回転軸心上に設けるものとし、直径６ｍｍ、長さ１０ｃｍほどである。８は巻上軸７の突出端に設けた端部材である。これら操作つまみ５、抜止め部材６、巻上軸７、端部材８の各部材は木材などで製作する。
【００２１】  ９は巻上軸７に巻き掛けた紐条  この紐条９は一端を端部材８に固定し、巻き掛け他端は自由垂下して重錘１０を固定する。重錘１０には磁石１１を内蔵しており、図示しない金属片などを吸着固定することができる。上記の紐条９は長さ５０ｃｍほどで柔軟な材料からなる。
【００２２】  １２は握り部本体１の上端に設けた垂直方向の枢軸  １３は枢軸１２に回転自在に取りつけた第２の操作つまみ  １４は枢軸１２の端部に取りつた抜止め部材である。
【００２３】  なお上記した握り部本体１、突起２、操作つまみ５、抜止め部材６、巻上軸７、端部材８、紐条９、重錘１０、第２の操作つまみ１３、抜止め部材１４の各部材の外周面には赤、白、緑、黄、青、金、銀などの彩色表示ａ〜ｍを施すようにする。この彩色表示は、隣り合う色が同じにならないよう配慮することを可とする。
【００２４】  本考案に係る手指などリハビリ訓練用具の一実施例は上記のように構成されており、次のようにして用いる。例えば、脳障害など手指に不自由をもつものにおいては、傍にいる介護者が「器具の握り棒を摘んで下さい。」の言葉を掛ける。これに応じて障害者は、握り部材１を片手で掴み、図２のように差し上げる。
【００２５】  また介護者が「親指と人差指でつまみを摘まんで回して下さい。」の言葉を掛ける。これに応じて障害者は、同図のように操作つまみ５を回転操作する。続いて介護者が「錘を上まで引き上げて下さい。」の言葉を掛ける。障害者は、操作つまみ５を回し続けて、紐条９を巻上軸７に巻き取り、垂下する重錘１０を上部位置まで引き上げる。
【００２６】  上記において、握り部本体１には多数の突起２があるので、感触が良くしっかりと把持することができる。また握った状態において自然に手指が伸びる方向に操作つまみ５が位置しているので、回転操作を無理なく行うことができる。上記した運動は、ペットボトルの蓋の開閉動作に見立てて好適に行うことができる。
【００２７】  また一実施例のリハビリ訓練用具においては、操作つまみ５によって重錘１０を上げ下げ操作することができ、重錘１０には磁石１１が付いているので、例えば机の上に磁力に作用するカード、イラストパーツなどを各種用意しておけば、それらの吊り上げ、吊り下げなどを楽しく行うことができる。上記の重錘１０を上下する紐状９の巻上軸７は、十分に細径であるので、重錘１０が自然降下するようなことがなく、手指の機能が不自由な者にとっても扱い易いものとなっている。
【００２８】  また一実施例の構成によれば彩色が豊かであり、このため、視覚を通して脳へ強い刺激を与えることができる。このため、手に取るだけで気持ちが明るくなり、リハビリ訓練などを積極的に行うようになる。また興味がいつまでも褪せることがなく長きに亘って使用することができる。
【００２９】  また本件用具は、障害者だけでなく手指の力が弱い高齢者、機能が未熟の幼児などを対象としてその機能回復、知育などにも効果を期待することができる。また、本考案の用具における握り部材１の突起２は、単に握り易さ、脱落防止のためだけでなく手の平のツボさらには身体各部のツボを押圧する指圧機能を発揮することができるものであり、この点でも良好である。
【符号の説明】
【００３０】  １      握り部本体
２      突起
３      丸穴
４      回転軸
５      操作つまみ
６      抜止め部材
７      巻上軸
８      端部材
９      紐条
１０    重錘
１１    磁石
１２    枢軸
１３    第２の操作つまみ
ａ〜ｍ  彩色表示
【図１】
0003198119.tif 000003
【図２】
0003198119.tif 000004